(57)【要約】【課題】従来のものに比べて回転シリンダの径を小さくして、脱毛部を小型化した脱毛装置を提供する。【解決手段】この課題を解決するために、外周が把持される本体１の一端に、脱毛動作を行う脱毛部１１を設け、脱毛部１１が、円筒形状の回転シリンダ１２と、回転シリンダ１２を軸回りに回転自在で支持する軸部１７と、回転シリンダ１２の外周で開閉して毛を挟持する脱毛爪３０と、脱毛爪３０を開閉させる開閉機構部と、を有し、脱毛爪３０が、回転シリンダ１２に固定された固定爪３８と、固定爪３８に対して軸方向ＡＸに近接離間する可動爪３１と、を備え、開閉機構部が、可動爪３１を揺動させる開閉レバー５０と、可動爪３１が当接されて揺動の支点となる支点板４６と、を備え、開閉レバー５０と支点板４６の間に、軸部１７が位置し、支点板４６で回転シリンダ１２の外周側から回転シリンダ１２に固定爪３８を支持した。【選択図】図１
2012130487.tif 000002
【特許請求の範囲】
【請求項１】
外周が把持される本体と、前記本体の一端に設けられ脱毛動作を行う脱毛部と、前記脱毛部を回転させる駆動部と、を備え、
前記脱毛部が、円筒形状の回転シリンダと、前記回転シリンダを軸回りに回転自在で支持する軸部と、前記回転シリンダの外周で開閉して毛を挟持する脱毛爪と、前記脱毛爪を開閉させる開閉機構部と、を有し、
前記脱毛爪が、回転シリンダに固定された固定爪と、前記固定爪に対して前記回転シリンダの軸方向に近接離間する可動爪と、を備え、
前記開閉機構部が、前記可動爪を揺動させて前記近接離間させる開閉レバーと、前記可動爪が当接されて前記揺動の支点となる支点板と、を備え、
前記開閉レバーと前記支点板の間に、前記軸部が位置し、
前記支点板が前記回転シリンダの外周側から前記回転シリンダに前記固定爪を支持したものであることを特徴とする脱毛装置。
【請求項２】
前記脱毛爪の前記回転シリンダの回転中心からの前記回転シリンダの径方向に沿った寸法距離が、前記回転シリンダの脱毛対象部位への当接面の前記回転中心からの前記径方向に沿った寸法距離と、同じ寸法であることを特徴とする請求項１に記載の脱毛装置。
【請求項３】
前記開閉レバーから前記支点板までの前記回転シリンダの径方向に沿った寸法距離が、前記揺動の支点から前記可動爪の閉成時に前記固定爪と共に毛を挟持する挟持面までの前記径方向に沿った寸法距離に比べて、大きい寸法であることを特徴とする請求項１または請求項２に記載の脱毛装置。
【請求項４】
前記可動爪が前記軸部を挿通する貫通孔を備えたものであることを特徴とする請求項１〜３のいずれか一項に記載の脱毛装置。
【請求項５】
前記可動爪が、対をなす前記固定爪との前記軸方向の間に毛を誘導するテーパ部を、前記回転シリンダの周方向の両端に備えたものであることを特徴とする請求項１〜４のいずれか一項に記載の脱毛装置。
【発明の詳細な説明】
【技術分野】
【０００１】
本発明は、脱毛装置に関するものである。
【背景技術】
【０００２】
従来から、脱毛装置として、本体の一端に脱毛部を設けると共に、脱毛部が、回転する回転シリンダと、回転シリンダの外周に設けられた脱毛爪と、を備え、回転シリンダの回転軸の軸方向を本体の長手方向に直交して設けたものがある（特許文献１等参照）。このようなものでは、脱毛爪で毛を挟持すると共に回転シリンダを回転させて、挟持した毛を引き抜き脱毛処理を行っている。
【先行技術文献】
【特許文献】
【０００３】
【特許文献１】特表２００２−５１６１２５号公報
【発明の概要】
【発明が解決しようとする課題】
【０００４】
しかしながら、近年では、出先等で身嗜みを整えることが可能な携帯し易い理容道具の需要が高まっており、脱毛装置に対しても携帯の容易な小型化が望まれている。
【０００５】
そこで、この事情を鑑み、従来のものに比べて回転シリンダの径を小さくして、脱毛部を小型化した脱毛装置を提供することを課題とした。
【課題を解決するための手段】
【０００６】
上記課題を解決するために、本発明の脱毛装置は、外周が把持される本体と、前記本体の一端に設けられ脱毛動作を行う脱毛部と、前記脱毛部を回転させる駆動部と、を備え、前記脱毛部が、円筒形状の回転シリンダと、前記回転シリンダを軸回りに回転自在で支持する軸部と、前記回転シリンダの外周で開閉して毛を挟持する脱毛爪と、前記脱毛爪を開閉させる開閉機構部と、を有し、前記脱毛爪が、回転シリンダに固定された固定爪と、前記固定爪に対して前記回転シリンダの軸方向に近接離間する可動爪と、を備え、前記開閉機構部が、前記可動爪を揺動させて前記近接離間させる開閉レバーと、前記可動爪が当接されて前記揺動の支点となる支点板と、を備え、前記開閉レバーと前記支点板の間に、前記軸部が位置し、前記支点板が前記回転シリンダの外周側から前記回転シリンダに前記固定爪を支持したものであることを特徴とする。
【０００７】
この脱毛装置として、前記脱毛爪の前記回転シリンダの回転中心からの前記回転シリンダの径方向に沿った寸法距離が、前記回転シリンダの脱毛対象部位への当接面の前記回転中心からの前記径方向に沿った寸法距離と、同じ寸法であることが好ましい。
【０００８】
この脱毛装置として、前記開閉レバーから前記支点板までの前記回転シリンダの径方向に沿った寸法距離が、前記揺動の支点から前記可動爪の閉成時に前記固定爪と共に毛を挟持する挟持面までの前記径方向に沿った寸法距離に比べて、大きい寸法であることが好ましい。
【０００９】
この脱毛装置として、前記可動爪が前記軸部を挿通する貫通孔を備えたものであることが好ましい。
【００１０】
この脱毛装置として、前記可動爪が、対をなす前記固定爪との前記軸方向の間に毛を誘導するテーパ部を、前記回転シリンダの周方向の両端に備えたものであることが好ましい。
【発明の効果】
【００１１】
このような構成としたことで、従来のものに比べて回転シリンダの径を小さくして、脱毛部を小型化することができる。
【図面の簡単な説明】
【００１２】
【図１】実施形態の一例の脱毛部の分解斜視図である。
【図２】脱毛部の構成説明図であって、（ａ）が平面図であり、（ｂ）が正面図であり、（ｃ）が第１側面図であり、（ｄ）が第２側面図である。
【図３】脱毛動作の説明図であって、（ａ）が脱毛爪閉成時のＡ−Ａ断面図であり、（ｂ）が脱毛爪開成時のＡ−Ａ断面図である。
【図４】脱毛部の組み立て手順の一部であって、（ａ）が固定爪体と支点板を組み合わせた斜視図であり、（ｂ）が図４（ａ）を爪基台に取り付けた斜視図である。
【図５】同上の脱毛部を一端に設けた脱毛装置であって、（ａ）が正面図であり、（ｂ）が側面図であり、（ｃ）が平面図である。
【図６】（ａ）がＢ−Ｂ断面図であり、（ｂ）がＣ−Ｃ断面図である。
【図７】脱毛装置の外殻を透過させた斜視図である。
【図８】脱毛部を脱毛対象部位に当てた状態の側面図である。
【発明を実施するための形態】
【００１３】
以下、図面に基づいて本発明の実施形態を例示して説明する。
【００１４】
実施形態の一例の脱毛装置は、図５に示すように、軸方向に長い円筒状の本体１と、脱毛用の脱毛部１１を備えた脱毛ヘッド９と、で構成されており、本体１の円筒の一端に脱毛ヘッド９が取り付けられている。そして、本体１は外周面の一部が使用者に把持される把持面となっており、図８に示すように、本体１を把持して脱毛ヘッド９の脱毛部１１を肌等の脱毛対象部位７０に当接して、脱毛処理を行うものとなっている。以下の説明において、本体１の円筒の軸方向を長手方向Ｌとする。
【００１５】
本体１は、図６、図７に示すように、脱毛部１１を駆動する駆動部と、駆動部に給電する電源部と、脱毛動作の開始や停止等の外部操作用の操作部と、駆動部の駆動を制御する制御部５と、を備えている。電源部は電池やバッテリ等の内部電源２を有しており、駆動部及び制御部５に電力を供給している。
【００１６】
駆動部は、図７に示すように、モータを主体とし回転駆動を出力する動力源３と、動力源３の回転駆動を脱毛部１１に伝達する歯車を主体とした回転伝達部４と、を備えており、制御部５を介して電源部から給電されている。そして、制御部５は駆動部に供給する電力の有無や電流方向等によって、モータの回転開始や停止、或いは回転方向の切換等の駆動制御を行っている。操作部は本体１外部に露出したスイッチ部６を有し、該スイッチ部６の外部操作結果を制御部５に出力しており、出力した情報（外部操作結果）に応じて制御部５が駆動制御を行っている。
【００１７】
また、本体１は、図５に示すように、長手方向Ｌの一端に、外径の狭まるネック部７を有している。そして、該一端にはネック部７を介して、脱毛部１１を備えた脱毛ヘッド９が取り付けられており、本体１はネック部７の外周に脱毛ヘッド９より内側に凹んだ凹所８を形成している。
【００１８】
脱毛ヘッド９は略三角形状で一辺を外側に凸の円弧形状とした扇形となっており、円弧側で本体１に取り付けられ、扇の中心側である略直線状の二辺の交点側の角部内に脱毛部１１が配置されている。そのため、脱毛処理時には、角部を脱毛対象部位７０に当接するものとなっている。更に、ネック部７によって形成される凹所８は少なくとも角部との長手方向Ｌの間に形成されている。
【００１９】
また、脱毛部１１は、図１、図２に示すように、駆動部により回転される回転シリンダ１２と、回転シリンダ１２の回転中心を構成する軸部１７と、開閉して毛を挟持する脱毛爪３０と、脱毛爪３０に開閉動作を行わせる開閉機構部と、を有している。そして、軸部１７は断面略円形状の棒材からなり、回転シリンダ１２に略同心で貫通して挿通されており、軸部１７は回転シリンダ１２を軸回りに回転自在で支持している。
【００２０】
更に、脱毛部１１は、図６に示すように、本体１の長手方向Ｌに視て本体１の内側に位置すると共に、回転シリンダ１２の回転中心（軸部１７の軸心）が本体１の長手方向Ｌに対して鋭角に傾いて配置されている。以下、特に規定しない限り、回転シリンダ１２の回転中心である軸部１７の軸心に沿った方向を、単に軸方向ＡＸとして、本体１の軸方向である長手方向Ｌと区別する。
【００２１】
また、回転シリンダ１２は三対の脱毛爪３０が外周で開閉動作を行っており、脱毛部１１は、開閉動作に伴い脱毛爪３０で毛を挟持すると共に、挟持動作に伴って回転シリンダ１２が回転することで、挟持した毛を引き抜くものとなっている。
【００２２】
詳しくは、回転シリンダ１２が、主体となる円柱状のシリンダ部１３と、シリンダ部１３の外周に設けられた複数のリブ５６と、シリンダ部１３の第１端面１４に略同心で且つ一体に形成された駆動部の回転駆動を受ける歯車１６と、を有している。
【００２３】
シリンダ部１３は、歯車１６を一端に備え周面の一部が切り欠かれた有底円筒状の爪基台１８と、爪基台１８の円筒開口端２３を閉塞して爪基台１８に略同心で固定された円板状のカバー部２５と、で構成されている。そして、爪基台１８の円筒底部及びカバー部２５は円の中心に軸方向ＡＸに沿って貫通した貫通孔２０，２６を有しており、該貫通孔２０，２６に軸部１７が挿通されている。
【００２４】
そのため、シリンダ部１３は軸部１７の軸回りに回転自在で軸部１７に支持されている。そして、爪基台１８の円筒底部の外面がシリンダ部１３の第１端面１４となっており、カバー部２５の一方の板面がシリンダ部１３の第２端面１５となっている。
【００２５】
爪基台１８は全周の略四分の一を切り欠いて内周の空間を径方向に開口させた凹陥部１９を備えており、該凹陥部１９には脱毛爪３０が軸方向に並んで配置されている。
【００２６】
該円筒底部は第１端面１４である外面に歯車１６が略同心で且つ一体に設けられており、歯車１６で駆動部からの回転駆動を受けることで、回転シリンダ１２が軸部１７の軸回りに回転するものとなっている。そして、円筒底部は第１端面１４の反対側の面（凹陥部１９側の面）に、矩形状で軸方向に凹んだ嵌込溝２１を備えている。
【００２７】
更に、凹陥部１９には外周側の周方向の幅が内周側の周方向の幅に比べて大きくなる段部２２を備えており、円筒開口端２３には軸方向ＡＸに突出した突起２４を備えている。
【００２８】
カバー部２５は、軸部１７挿通用の貫通孔２６と、突起２４の嵌り込む丸孔２７と、開閉機構部の開閉レバー５０（詳細は後述する）の挿通される四角孔２８と、を軸方向ＡＸに貫通して有している。そして、カバー部２５は丸孔２７に突起２４を嵌め込むと共に、嵌り込んだ状態で突起２４の突出先端にヒートシールを施して、爪基台１８に固定されている。更に、カバー部２５は爪基台１８側の面に、爪基台１８の嵌込溝２１と略同形同寸で軸方向ＡＸに正対した嵌込溝２９を備えている。
【００２９】
また、脱毛爪３０は回転シリンダ１２の外周に略等間隔で軸方向ＡＸに並んで配置されており、略同時に開閉動作を行うものとなっている。
【００３０】
該脱毛爪３０は、回転シリンダ１２に固定された固定爪３８と、固定爪３８に対して近接離間する可動爪３１と、を夫々備えている。そして、可動爪３１は開閉機構部によって固定爪３８に対して近接離間しており、脱毛爪３０は該近接離間が開閉動作となっており、固定爪３８と可動爪３１の軸方向の対向面が、毛を挟持する挟持面３３，４０となっている。
【００３１】
詳しくは、可動爪３１が、図１に示すように、円弧状の爪部３２と、爪部３２の円周の略中間から内周側に突出した片部３５と、で構成されたＴ字状の金属板材からなり、三つの可動爪３１は略同形同寸となっている。そして、可動爪３１は爪部３２の円周中点を通る円弧の径方向を基準に線対称形状となっている。
【００３２】
以下、図３（ａ）に示すような可動爪３１が固定爪３８に近接した姿勢を基準として、可動爪３１の構成を説明する。
【００３３】
片部３５は、図３に示すように、軸方向ＡＸと略直交する向きで矩形状に板面を有すると共に、板面に、軸部１７より大径で軸部１７が挿通される貫通孔３６を有しており、軸部１７によって回転シリンダ１２からの抜け止めがなされている。
【００３４】
爪部３２は閉成時に円弧が回転シリンダ１２と略同心で並ぶと共に、少なくとも固定爪３８と軸方向ＡＸに正対する平面を有しており、該平面が挟持面３３となっている。そして、爪部３２は、図１に示すように、円弧の周方向の両端に夫々テーパ部３４を有しており、テーパ部３４は対をなす固定爪３８から離れる向きで軸方向ＡＸに曲げられて形成されている。
【００３５】
該テーパ部３４は毛を挟持面３３に誘導するガイド部となっており、脱毛処理時に、対をなす可動爪３１と固定爪３８の軸方向ＡＸの間に毛を案内して、脱毛爪３０で毛を挟持し易くしている。そして、テーパ部３４を円弧の両端に設けたことで、回転シリンダ１２の回転方向Ｔが正転逆転のいずれであっても、毛を誘導することができて、回転方向Ｔによる脱毛効率の低下を抑制することができる。そのため、回転シリンダ１２を正転と逆転の両方向に回転させて脱毛処理を行うことができる。
【００３６】
固定爪３８は、図２、図３に示すように、回転シリンダ１２と略同心の円弧状の爪部３９を有すると共に、爪部３９の軸方向ＡＸの端面が、閉成時に可動爪３１の挟持面３３と正対する挟持面４０となっている。そして、三つの固定爪３８は軸方向ＡＸに略等間隔で並ぶと共に、一枚の金属板材からなる固定爪体４１で形成されており、三つの固定爪３８は一部材となっている。
【００３７】
詳しくは、固定爪体４１が、図１に示すように、軸方向ＡＸに沿って長い板状で互いに略平行に並んで配置された板部４２と、板部４２間に架け渡された三つのアーチ状の桟部４３と、で構成されており、爪部３９は桟部４３の一部となっている。
【００３８】
桟部４３は外周側に底部を有したＵ字形のアーチとなっており、Ｕ字の底部が回転シリンダ１２の外周側に位置すると共に、該底部が固定爪３８の爪部３９となっている。そして、桟部４３は、Ｕ字の底部から径方向に沿って内周側に延びた各辺の端部が夫々異なる板部４２に接続されており、各桟部４３は板部４２を介して繋がっている。
【００３９】
板部４２は、桟部４３の接続された側と反対側（内周側）の端部が、回転シリンダ１２の段部２２に当接されており、固定爪体４１の回転シリンダ１２内周側への落ち込みを抑制している。
【００４０】
なお、該固定爪体４１は、金属製で矩形の薄板にプレス加工等を施し形成した板金部材からなり、平行に並ぶ二つの板部４２の間を三つの桟部４３で繋いだ形状となっており、該桟部４３が夫々固定爪３８の爪部３２となっている。もちろん、板金部材に限らず、切削や熔接等で形成してもよいが、板金部材が安価で生産できて好ましい。
【００４１】
以下の説明において、第１端面１４に最も近い可動爪３１を第１可動爪３１とし、第２端面１５に最も近い可動爪３１を第３可動爪３１とし、第１可動爪３１と第３可動爪３１の間に位置する可動爪３１を第２可動爪３１として、三つの可動爪３１を区別する。そして、第１可動爪３１と対をなす固定爪３８を第１固定爪３８とし、第２可動爪３１と対をなす固定爪３８を第２固定爪３８とし、第３可動爪３１と対をなす固定爪３８を第３固定爪３８として、三つの固定爪を区別する。
【００４２】
開閉機構部は、図１に示すように、開閉動作の支点となる支点板４６と、スライドする開閉レバー５０と、開閉レバー５０を第１端面１４側に押圧する押圧部５５（図７参照）と、開閉レバー５０を第２端面１５側に付勢する付勢ばね５４と、を備えている。そして、支点板４６と開閉レバー５０と付勢ばね５４は凹陥部１９に配置されると共に、開閉レバー５０は爪基台１８の内周面に沿って軸方向ＡＸにスライド自在となっている。更に、押圧部５５は回転シリンダ１２の第２端面１５外方に配置されて、第２端面１５に弾性的に当接されている。
【００４３】
支点板４６は、固定爪体４１の板部４２より軸方向ＡＸの寸法が長い矩形状の板材からなり、軸方向ＡＸの両端辺４８が回転シリンダ１２の各嵌込溝２１，２９に嵌め込まれている。そのため、支点板４６は、図３に示すように、板面を回転シリンダ１２の径方向に略直交させた姿勢で、シリンダ部１３に固定されている。
【００４４】
そして、支点板４６は、図１に示すように、脱毛爪３０と同数（各三つ）の突起４９を軸方向ＡＸに沿った側辺に夫々備えており、突起４９は板材の端辺４８の辺方向に沿って側辺から夫々突出すると共に、軸方向ＡＸに略等間隔で設けられている。
【００４５】
該突起４９は、図４（ａ）に示すように、固定爪体４１の桟部４３の間に配置されると共に、板部４２の外周側を向く側辺及び桟部４３の軸方向ＡＸの端面に当接されており、支点板４６は固定爪体４１の外周側への抜け止めを行っている。更に、支点板４６は、図４（ｂ）に示すように、突起４９と段部２２の回転シリンダ１２の径方向に沿った間で、固定爪体４１の板部４２を挟持しており、固定爪体４１は支点板４６と段部２２によって径方向に位置決め固定されている。
【００４６】
また、支点板４６は板面に、可動爪３１が挿通される溝４７を可動爪３１と同数（三つ）備えており、各溝４７には、夫々異なる可動爪３１の片部３５が挿通されると共に、片部３５の貫通孔３６より爪部３２側の部位が溝４７の周縁に接触している。そして、可動爪３１の支点板４６との接触部位は、片部３５の先端部３７より爪部３２側に近い位置となっており、接触部位から先端部３７までの寸法Ｒ３が接触部位から爪部３２の外周までの寸法Ｒ４に比べて大きい寸法となっている。
【００４７】
そのため、各可動爪３１は夫々支点板４６によって軸方向ＡＸに位置決めされると共に、揺動自在に支持されており、可動爪３１は支点板４６との接触部位を支点として揺動することで、爪部３２を固定爪３８に対して近接離間させるものとなっている。
【００４８】
また、開閉レバー５０は断面略半円形状で軸方向ＡＸに軸心を有した棒材からなり、第２端面１５の四角孔２８に挿通されると共に、開閉レバー５０の第１端部５１が凹陥部１９内に位置し、第２端部５２が第２端面１５から軸方向ＡＸに突出して位置している。
【００４９】
そして、開閉レバー５０はシリンダ部１３の内周面に沿って凹陥部１９内を軸方向ＡＸにスライド自在となっている。詳しくは、開閉レバー５０が、第１固定爪３８の挟持面４０と第１端部５１が回転シリンダ１２の直径上に並ぶ第１位置と、第１端部５１が第１固定爪３８より第２端面１５側に位置する第２位置と、の間を往復移動するものとなっている。
【００５０】
また、開閉レバー５０は有底の溝部５３を二つ軸方向ＡＸに略等間隔で平面側に備えている。そして、第１端部５１側の溝部５３には第２可動爪３１の片部３５の先端部３７が配置されており、第２端部５２側の溝部５３には第３可動爪３１の片部３５の先端部３７が配置されている。更に、開閉レバー５０は第１端部５１に第１可動爪３１の片部３５の先端部３７の板面が当接されると共に、付勢ばね５４によって第１可動爪３１の片部３５を介して第２端面１５側（第２位置側）へ弾性的に付勢されている。
【００５１】
開閉レバー５０は回転シリンダ１２の回転中に第２端部５２が押圧部５５と弾性的に接触して、押圧部５５によって押圧されるものとなっており、該接触時には押圧部５５の押圧によって付勢ばね５４の付勢に抗して第１位置へスライド移動する。そして、該接触状態から更に回転シリンダ１２が回転すると、押圧部５５が第２端部５２から外れて、接触に伴う押圧が解かれ、開閉レバー５０は付勢ばね５４の付勢によって第２位置へスライド移動する。
【００５２】
該押圧部５５は、図７に示すように、例えば、回転シリンダ１２を第１端面１４側へ弾性的に付勢して位置決めする保持ばねが兼ねている。そして、押圧部５５である保持ばねは回転シリンダ１２の第２端面１５に当接されて、回転シリンダ１２を第１端面１４側に押圧しており、押圧部５５は回転シリンダの軸方向の位置ずれを抑制している。
【００５３】
更に、押圧部５５は回転シリンダ１２の一回転毎に一度開閉レバー５０に接触して、開閉レバー５４を第１位置に移動させると共に、押圧部５５は回転シリンダ１２の回転に伴って開閉レバー５０との接触と該接触の解除を繰り返すものとなっている。
【００５４】
また、開閉レバー５０が第２位置に位置した状態では、脱毛爪３０が、図３（ｂ）に示すように、可動爪３１が離間して、脱毛爪３０が開成状態となり、挟持面３３，４０の間に、脱毛対象部位７０の毛を導入する隙間が形成される。そして、開閉レバー５０が第２位置から第１位置に移動する際には、開閉レバー５０の移動に伴って、可動爪３１が支点板４６との接触部位を支点として、固定爪３８に近接する向きに略円弧状に揺動して、上記隙間を狭めていく。
【００５５】
開閉レバー５０が第１位置に位置した状態では、図３（ａ）に示すように、可動爪３１の挟持面３３が固定爪３８の挟持面４０に近接して、脱毛爪３０は閉成状態となる。そして、該近接時に挟持面３３，４０間に毛が位置していると、該毛を脱毛爪３０が挟持する。更に、毛を挟持した状態で、回転シリンダ１２が回転することで、挟持された毛が脱毛対象部位７０から抜き取られて、脱毛対象部位７０への脱毛処理が行われる。
【００５６】
このように、可動爪３１は片部３５の支点板４６との接触部位を揺動支点とすると共に、開閉レバー５０との接触部位である片部３５の先端部３７を力点として揺動し、固定爪３８に対して近接離間するものとなっている。
【００５７】
そして、回転シリンダ１２の直径に沿って脱毛爪３１の力点、軸部１７、脱毛爪３１の支点、脱毛爪３１の作用点（挟持面３３）の順に並べたことで、力点と支点の間に軸部１７が位置すると共に、力点から作用点までの寸法を半径以上にすることができる。そのため、脱毛爪の力点、支点、作用点が半径上に並ぶものに比べて、同じ出力荷重でも回転シリンダ１２を小径化することができる。
【００５８】
更に、可動爪３１を貫通して軸部１７を配置したことで、軸部１７が可動爪３１の径方向への抜け止めとなり、可動爪３１用の抜け止め部材を追加して設ける必要がなくなり、脱毛部１１の構成部材を低減して、脱毛部１１を小型化することができる。
【００５９】
また、力点から支点までの寸法Ｒ３を支点から作用点までの寸法Ｒ４に比べて大きくしたことで、梃子の原理によって、開閉機構部による力点への入力荷重を増加させなくても、脱毛処理に必要な出力荷重を作用点に得ることができる。そのため、入力荷重の増加（負荷の増加）に伴う動力源３の消費電力の増加を抑えることができて、内部電源２の消費を軽減して、小型化した脱毛装置の使用可能時間を延ばすことができる。
【００６０】
そして、開閉レバー５０の溝部５３を、動作させる可動爪３１の数より一つ減らしたことで、溝部５３一つ分の脱毛部１１の軸方向ＡＸの寸法を小さく抑えることができて、脱毛効率を維持して脱毛部１１を小型化することができる。
【００６１】
また、回転シリンダ１２はシリンダ部１３の外周にリブ５６を複数（四つ）備えており、該リブ５６の外周面が、脱毛処理時に脱毛部１１の脱毛対象部位７０に当接される当接面となっている。各リブ５６は回転シリンダ１２の中心からの最大距離（最大半径Ｒ１）が略同寸であると共に、図３に示すように、脱毛爪３０（固定爪３８）の外周半径Ｒ２とも略同寸となっている。
【００６２】
そして、リブ５６は軸方向ＡＸに略等間隔離れて配置されると共に、回転シリンダ１２の中心からの距離が最大半径Ｒ１より小さい凹み５７を夫々有している。更に、凹み５７を備えたことで、該凹み５７の位置でリブ５６の外周で抑えていた毛が開放されるため、脱毛爪３０に毛が導入され易くなっている。
【００６３】
また、爪基台１８の円筒底部のリブ５６は、図２、図３に示すように、凹陥部１９の外周開口と軸方向ＡＸに並ぶ箇所に、凹陥部１９に向かって傾斜して切り欠かれた薄肉部５８となっている。薄肉部５８は、切り欠かれて形成された空間に、開成時の可動爪３１が位置するものとなっており、該空間がリブ５６と可動爪３１の接触を回避する隙間となっている。そのため、可動爪３１の可動範囲を狭めずに回転シリンダ１２（爪基台１８）の軸方向ＡＸの寸法を小さくすることができて、脱毛部１１を小型化することができる。
【００６４】
そして、カバー部２５のリブ５６は、図２、図３に示すように、凹陥部１９の外周開口と軸方向ＡＸに並ぶ箇所が他の部位から分割された円弧部５９となっている。更に、円弧部５９は外径が桟部４３の底部の内径（爪部３９の内径）より若干小さい或いは略同寸となっている。そのため、リブ５６の円弧部５９は第３固定爪３８の内側の空間４４に収容されており、回転シリンダ１２の軸方向ＡＸの寸法を小さく抑えている。
【００６５】
なお、本例では脱毛爪３０を三対有しているが、三対に限らず一対や二対或いは四対以上有してもよく、リブ５６においても四つに限らず、三つ以下や五つ以上備えたものであってもよい。
【符号の説明】
【００６６】
１  本体
１１  脱毛部
１２  回転シリンダ
１７  軸部
３０  脱毛爪
３１  可動爪
３４  テーパ部
３６  貫通孔
３８  固定爪
４６  支点板
５０  開閉レバー
ＡＸ  軸方向
【図１】
2012130487.tif 000003
【図２】
2012130487.tif 000004
【図３】
2012130487.tif 000005
【図４】
2012130487.tif 000006
【図５】
2012130487.tif 000007
【図６】
2012130487.tif 000008
【図７】
2012130487.tif 000009
【図８】
2012130487.tif 000010